(57)【特許請求の範囲】
【請求項１】
放電時に直列に接続される複数の放電モジュールと、
前記複数の放電モジュールに対応し、対応する放電モジュールを導通するように、それぞれが該対応する放電モジュールにトリガ信号を提供する複数のトリガと、
前記複数の放電モジュールを順次に遅延して導通するように、トリガ信号を制御するための制御ロジックモジュールと、
電圧を出力するための出力端と、を備えるパルス変調電源であって、
前記制御ロジックモジュールは、前記パルス変調電源のパルス出力のパルストップが所望の形状となるように、前記複数の放電モジュールを順次導通する際の遅延時間を制御して前記パルス出力のパルス前縁の傾きを調節するように構成された、
ことを特徴とするパルス変調電源。
【請求項２】
前記パルス変調電源は、マルクス発生器に基づくパルス変調電源である請求項１に記載のパルス変調電源。
【請求項３】
前記出力端に階段状の出力前縁が発生する請求項２に記載のパルス変調電源。
【請求項４】
前記階段状の出力前縁は、電流伝送ネットワークを通してスムーズになる請求項３に記載のパルス変調電源。
【請求項５】
前記放電モジュールは、IGBTモジュールである請求項１乃至請求項４のいずれか1項に記載のパルス変調電源。
【請求項６】
パルストップにトップ下降が現れる時に、前記遅延を増やす請求項１乃至請求項４のいずれか1項に記載のパルス変調電源。
【請求項７】
パルストップにトップ上昇が現れる時に、前記遅延を減らす請求項１乃至請求項４のいずれか1項に記載のパルス変調電源。
【請求項８】
前記制御ロジックモジュールは、
前記パルストップにトップ下降が現れる場合、前記パルス前縁の発生期間中において前記遅延時間を増やして前記パルス前縁の傾きを小さくするとともに、
前記パルストップにトップ上昇が現れる場合、前記パルス前縁の発生期間中において前記遅延時間を減らして前記パルス前縁の傾きを大きくするように構成された、
ことを特徴とする、請求項１記載のパルス変調電源。
【請求項９】
放電時に直列に接続される複数の放電モジュールを備えるパルス変調電源において、パルス出力を制御する方法であって、
前記複数の放電モジュールを順次に導通するように、前記複数の放電モジュールに順次に遅延したトリガ信号を提供するステップと、
放電電圧を出力するステップと、を含み、
前記トリガ信号を提供するステップは、前記パルス変調電源のパルス出力のパルストップが所望の形状となるように、前記複数の放電モジュールを順次導通する際の遅延時間を制御して前記パルス出力のパルス前縁の傾きを調節するように構成された、
ことを特徴とするパルス出力を制御する方法。
【請求項１０】
前記パルス変調電源は、マルクス発生器に基づくパルス変調電源である請求項９に記載の方法。
【請求項１１】
前記出力端に階段状の出力前縁が発生する請求項１０に記載の方法。
【請求項１２】
前記階段状の出力前縁をスムーズにさせるステップをさらに含む請求項１１に記載の方法。
【請求項１３】
前記放電モジュールは、IGBTモジュールである請求項９乃至請求項１２のいずれか1項に記載の方法。
【請求項１４】
パルストップにトップ下降が現れる時に、前記遅延を増やす請求項９乃至請求項１２のいずれか1項に記載の方法。
【請求項１５】
パルストップにトップ上昇が現れる時に、前記遅延を減らす請求項９乃至請求項１２のいずれか1項に記載の方法。
【請求項１６】
前記トリガ信号を提供するステップは、
前記パルストップにトップ下降が現れる場合、前記パルス前縁の発生期間中において前記遅延時間を増やして前記パルス前縁の傾きを小さくするとともに、
前記パルストップにトップ上昇が現れる場合、前記パルス前縁の発生期間中において前記遅延時間を減らして前記パルス前縁の傾きを大きくするように構成された、
ことを特徴とする、請求項９記載の方法。
【発明の詳細な説明】
【技術分野】
【０００１】
本発明は、一般的にパルス出力の制御に関し、特に、パルス出力前縁の制御に関する。具体的に、本発明はマルクス発生器の原理に基づくソリッドステートパルス変調電源において、出力パルス前縁を制御することに関する。
【背景技術】
【０００２】
マルクス発生器は、パルス変調電源を実現する方式であり、コンデンサを並列に充電してから直列に放電する装置である。マルクス発生器はナノ秒レベルの狭パルスと高いパルス周波数を実現できる。ソリッドステートパルス変調電源は、IGBT（絶縁ゲートバイポーラトランジスタ）のようなソリッドステートスイッチによって、パルス変調を行う電源である。現在では、直線加速器に用いられるマルクス発生器の原理に基づくソリッドステートパルス変調電源は、一般的に、各IGBTを同時にトリガリングする動作方式を採用している。
【０００３】
マグネトロンを負荷とする電源システムにおいて、マグネトロン自身のインピーダンス特性によって、特定のパルス電流で動作させるために、パルス前縁の傾きが特定要求を満足する必要がある。 図1 は、パルス前縁の傾きが要求を満足する場合のパルス電流の波形を示す概略図である。
図2は、パルス前縁が急すぎる場合のパルス電流の波形を示す概略図であり、同図に示すように、パルストップに明らかなトップ下降現象を呈する。図3は、パルス前縁が緩やかすぎる場合のパルス電流の波形を示す概略図であり、同図に示すように、パルストップに明らかなトップ上昇現象を呈する。そして、パルス電流の振幅が変化すると、パルス電流の波形のトップをフラットに維持できるパルス前縁の傾きも変化し、振幅が大きいほど、必要となる前縁の傾きも急になる。
【０００４】
パルストップがフラットになれない問題を解決するために、現在解決方案として、パルス電源の出力端に一つのインダクタを直列に接続するのは一般的である。パルス電流の振幅を調整する必要がある場合に、インダクタのインダクタンスを調整することで、インピーダンス整合の目的を達成する。この方法は、パルス電流の振幅を頻繁に調整する必要がある場合、インダクタンスを調整する作業が複雑であり、特にデュアルエネルギー加速器製品用のソリッドステートパルス変調電源において、パルス電流の振幅がパルス周期毎に交互に変化するので、インダクタンスを調整する方法はこれらの製品に実現できない欠点がある。
【０００５】
そのため、マグネトロンの負荷にさらによく適応するために、出力パルス前縁を比較的に便利に制御できることが求められている。
【発明の概要】
【発明が解決しようとする課題】
【０００６】
本発明は順次に遅延するトリガ信号により、パルス出力を制御するためのデバイス及び方法を提供する。
【課題を解決するための手段】
【０００７】
本発明の一態様によれば、放電時に直列に接続される複数の放電モジュールと、前記複数の放電モジュールに対応し、対応する放電モジュールを導通するように、それぞれが該対応する放電モジュールにトリガ信号を提供する複数のトリガと、前記複数の放電モジュールを順次に遅延して導通するように、トリガ信号を制御するための制御ロジックモジュールと、電圧を出力するための出力端と、を備え、前記制御ロジックモジュールは、前記パルス変調電源のパルス出力のパルストップが所望の形状となるように、前記複数の放電モジュールを順次導通する際の遅延時間を制御して前記パルス出力のパルス前縁の傾きを調節するように構成された、ことを特徴とするパルス変調電源を提供する。
【０００８】
本発明の他の態様によれば、放電時に直列に接続される複数の放電モジュールを含むパルス変調電源において、パルス出力を制御する方法であって、前記複数の放電モジュールを順次に導通するように、前記複数の放電モジュールに順次に遅延するトリガ信号を提供するステップと、放電電圧を出力するステップと、を含み、前記トリガ信号を提供するステップは、前記パルス変調電源のパルス出力のパルストップが所望の形状となるように、前記複数の放電モジュールを順次導通する際の遅延時間を制御して前記パルス出力のパルス前縁の傾きを調節するように構成された、ことを特徴とする、パルス出力を制御する方法を提供する。
【０００９】
本発明の好適な実施例において、マルクス発生器の原理に基づくソリッドステートパルス変調電源に、IGBTモジュールのオン遅延時間を調整することで、良好なパルス出力の波形が得られる。
【発明の効果】
【００１０】
本発明によれば、パルス電源の出力端に一つのインダクタを直列に接続しなくても、パルス電流の振幅を調整することができるため、例えば、マグネトロンの負荷にさらによく適応するように、出力パルスの前縁及びパルストップがフラットになれないことに対して、より便利に制御及び調整できる。
【図面の簡単な説明】
【００１１】
本発明をより明瞭に理解するために、添付の図面を参照して以下の明細書を説明する。
【図１】パルス前縁の傾きが要求を満足する場合のパルス電流の波形を示す概略図である。
【図２】パルス前縁が急すぎる場合のパルス電流の波形を示す概略図である。
【図３】パルス前縁が緩やかすぎる場合のパルス電流の波形を示す概略図である。
【図４】現在よく用いられるマルクス発生器に基づくソリッドステートパルス変調電源の原理を示す概略図である。
【図５】本発明の一実施例によるマルクス発生器に基づくソリッドステートパルス変調電源を示す概略図である。
【図６】前縁制御のないソリッドステートパルス変調電源のトリガリングとパルス出力の動作タイミングを示す概略図である。
【図７】前縁制御ロジックを増やしたソリッドステートパルス変調電源のトリガリングとパルス出力の動作タイミングを示す概略図である。
【図８】図7のパルス前縁の細部を示す概略図である。
【発明を実施するための形態】
【００１２】
本発明において説明される図1〜8、及び該出願書類における本発明の原理を説明するための各実施例は、説明するためであり、いずれかの形態により本発明の範囲を定めることに理解されるべきではない。当業者は、いずれの適当な形態のデバイスまたはシステムによって、本発明の原理を実現できることを理解すべきである。
【００１３】
図4は、現在よく用いられる、マルクス発生器に基づくソリッドステートパルス変調電源の原理を示す概略図である。同図において、PSはハイパワー直流安定化電源であり、ソリッドステートパルス変調電源の給電電源であり、電源電圧がVinである。Ml〜Mmはm個のIGBTモジュールユニットである。Trig(l)〜Trig(m)はIGBTモジュールグループに対応するトリガ信号である。Voutはソリッドステートパルス変調電源の出力端の電圧である。
【００１４】
二回トリガリングする間の期間に、PSは充電インダクタL及びダイオードによりIGBTモジュールユニットのコンデンサCに充電し、並列に充電されるコンデンサアレイを形成し、且つ次のトリガリングする前に、コンデンサCの電圧をVinに維持させる。トリガリングすると、各IGBTモジュールが導通され、モジュールにおけるコンデンサCは各IGBTモジュールユニットにより一つの直列に接続される放電回路を形成し、このとき、ソリッドステートパルス変調電源の出力電圧Vout=n*Vinであり、ここで、nは現時点に導通されているIGBTモジュールの数である。
【００１５】
図5は、本発明の一実施例によるマルクス発生器に基づくソリッドステートパルス変調電源を示す概略図である。図5に示すソリッドステートパルス変調電源は、例えば図4に示すような典型的なマルクス発生器に基づくソリッドステートパルス変調電源であり、ここで、m個のトリガ1...トリガn、トリガn+1...トリガmはソリッドステートパルス変調電源にトリガ信号Trig(l)...Trig(n)、Trig(n+l)...Trig(m)を提供する。トリガ1〜トリガmは、制御ロジックモジュールにより制御される。制御ロジックモジュールは、ソリッドステートパルス変調電源におけるm個のIGBTモジュールユニットを順次に遅延して導通するように、トリガ1〜mにより発生するトリガ信号Trig(l)〜Trig(m)を制御する。
【００１６】
トリガリングすると、マルクス発生器に基づくソリッドステートパルス変調電源における各IGBTモジュールMl〜Mmは順次に遅延するトリガ信号Trig(l)〜Trig(m)を受信して、順次に遅延して導通される。このように、ソリッドステートパルス変調電源の出力端に、一つの階段状の出力前縁のVoutが発生する。電流伝送ネットワークのフィルタリング作用によって、マグネトロンの負荷端（図示せず）にスムーズな出力Vout'が得られる。
【００１７】
制御ロジックモジュールは、トリガ1〜トリガmがそれぞれ遅延しないTrig(l)、…Δt(n-l)遅延したTrig(n)、Δt(n)遅延したTrig(n+1)...Δt(m-l)遅延したTrig(m)を出力するように、トリガ1〜トリガmを制御する。制御ロジックモジュールは、特定要求を満足するパルス前縁の傾きが得られるように、遅延時間Δtl〜Δt(m-l)のそれぞれの長さを制御する。本発明の一好適な実施例において、パルス前縁が急すぎる場合に、パルストップに図2に示すような明らかなトップ下降現象が現れる。このとき、制御ロジックモジュールは、傾きが小さくなるパルス出力のパルス前縁を得るように、遅延時間Δtl〜Δt(m-l)を増やす。本発明の他の好適な実施例において、パルス前縁が緩やかすぎる場合に、パルストップに図3に示すような明らかなトップ上昇現象が現れる。このとき、制御ロジックモジュールは、傾きが大きくなるパルス出力のパルス前縁を得るように、遅延時間Δtl〜Δt(m-l)を減らす。
【００１８】
図5は、本発明によるソリッドステートパルス変調電源の一例を説明したが、図5に対しさまざまな変更が可能である。図5に示すマルクス発生器に基づくソリッドステートパルス変調電源は、ソリッドステートパルス変調電源を実現する一つの方式だけである。実際には、本発明はいかなる直列に接続され放電するソリッドステートパルス変調電源に適用できる。なお、ソリッドステートパルス変調電源におけるソリッドステートスイッチはIGBT（絶縁ゲートバイポーラトランジスタ）型のソリッドステートスイッチに限定されなく、放電時に直列に接続され放電するモジュールとして用いられるいかなる素子やデバイスでもよい。当業者は、本発明の明細書を見て、本発明がマルクス発生器に基づくソリッドステートパルス変調電源におけるパルス前縁の傾きを調整することに用いられることだけでなく、いかなる直列に接続され放電するソリッドステートパルス変調電源におけるパルストップがフラットになれない問題を解消することもできることがわかる。
【００１９】
図6は、前縁制御のないソリッドステートパルス変調電源のトリガリングとパルス出力の動作タイミングを示す概略図である。この動作モードにおいて、トリガ信号Trig(l)〜Trig(m)の間に遅延がなく、各IGBTモジュールが同時にトリガリングされて、同時に導通される。出力電圧の上昇時間は単にIGBTモジュールのパラメータ及び出力回路のパラメータに関係する。
【００２０】
図7は、前縁制御ロジックを増やしたソリッドステートパルス変調電源のトリガリングとパルス出力の動作タイミングを示す概略図であり、図8は、図7のパルス前縁の細部を示す概略図である。
【００２１】
図8に示すように、各IGBTモジュールのトリガ信号Trig (n+l)... Trig (m)が同時に導通されずに、順次に遅延して導通されることで、電源の出力端に一つの階段状の出力前縁のVoutが発生し、電流伝送ネットワークのフィルタリング作用によって、マグネトロンの負荷端（図示せず）にスムーズな出力Vout'が得られる。各IGBTモジュールがトリガリングされる遅延時間Δtl〜Δt(m-l)を調整することで、Vout'の前縁の傾きを変更することができる。
【００２２】
上記から分かるように、本発明により提供されるトリガ信号を順次に遅延することでパルス出力を制御するためのデバイス及び方法によれば、パルス電源の出力端にインダクタを直列に接続することを避けることから、インダクタを直列に接続することによる問題を避けることができる。
【００２３】
本発明の基本的な構造を示すために、いくつかの構造を説明したが、当業者は、本発明の特許請求の範囲に記載の範囲内におけるほかの変更も可能であることを理解すべきである。本発明は現在最も実用的で好適な実施例に基づいて説明したが、依然として、本発明は開示された実施例に限定されなく、反して、特許請求の範囲の要旨と範囲に含まれる種々の修正や等価的な技術案を含むと意味することを理解すべきである。
【図１】
0005951042.tif 000002
【図２】
0005951042.tif 000003
【図３】
0005951042.tif 000004
【図４】
0005951042.tif 000005
【図５】
0005951042.tif 000006
【図６】
0005951042.tif 000007
【図７】
0005951042.tif 000008
【図８】
0005951042.tif 000009